(57)【要約】本発明は、実質的に果皮の無いスピナシア・オレラセアまたはホウレンソウ種子に関する。さらに、本発明は、実質的に果皮の無いスピナシア・オレラセアまたはホウレンソウ種子を産生する方法、および実質的に果皮の無い種子を産生することができるスピナシア・オレラセアまたはホウレンソウ植物に関する。果皮に囲まれたスピナシア・オレラセアまたはホウレンソウ種子と比較して、本発明の実質的に果皮の無いスピナシア・オレラセアまたはホウレンソウ種子は、１）輸送、保存および取扱い中の体積および重量の減少、２）休眠の減少、３）発芽率の増加、４）収量の増加、および５）病原体圧の減少の１つ以上を提供する。特に、本発明は、スピナシア・オレラセア種子に関し、ここで、該種子は実質的に果皮が無く、かつ該種子は、雌性スピナシア・オレラセア親植物を雄性スピナシア・オレラセア親植物と交配して雌性スピナシア・オレラセア親植物による種子産生をもたらし、該雌性スピナシア・オレラセア親は、産生される種子上の果皮形成を実質的に防止する劣性形質をそのゲノム中にホモ接合的に含み、および実質的に果皮の無いスピナシア・オレラセア種子を収穫することにより得られることができる。
2019517793.tif 000002
【特許請求の範囲】
【請求項１】
スピナシア・オレラセア種子であって、該種子は実質的に果皮が無く、かつ該種子は、雄性スピナシア・オレラセア親植物を雄性スピナシア・オレラセア親植物と交配して該雌性スピナシア・オレラセア親植物による種子産生をもたらし、および実質的に果皮の無いスピナシア・オレラセア種子を収穫することにより得ることができる、ここで、該雌性スピナシア・オレラセア親は、該産生される種子上の果皮形成を実質的に防止する劣性形質をそのゲノム中にホモ接合的に含む、スピナシア・オレラセア種子。
【請求項２】
該種子が、該雌性スピナシア・オレラセア親植物を、該雌性スピナシア・オレラセア親植物と異なる品種である雄性スピナシア・オレラセア植物と交配させて得られる雑種種子である、請求項１に記載のスピナシア・オレラセア種子。
【請求項３】
該スピナシア・オレラセア種子から生育させたスピナシア・オレラセア植物が不稔である、請求項１または２に記載のスピナシア・オレラセア種子。
【請求項４】
該スピナシア・オレラセア種子から生育させたスピナシア・オレラセア植物が雄性不稔である、請求項１〜３のいずれか１項に記載のスピナシア・オレラセア種子。
【請求項５】
果皮形成を実質的に防止する該劣性形質が、２０１６年２月２５日に寄託番号ＮＣＩＭＢ  ４２５５５の下でＮＣＩＭＢに寄託されたスピナシア・オレラセア植物から得られることができる、請求項１〜４のいずれか１項に記載のスピナシア・オレラセア種子。
【請求項６】
果皮形成を実質的に防止する該劣性形質が、２０１６年２月２５日に寄託番号ＮＣＩＭＢ  ４２５５５の下でＮＣＩＭＢに寄託されたスピナシア・オレラセア植物から得られる、請求項１〜４のいずれか１項に記載のスピナシア・オレラセア種子。
【請求項７】
果皮形成を実質的に防止する該劣性形質が、２０１６年２月２５日に寄託番号ＮＣＩＭＢ  ４２５５５の下でＮＣＩＭＢに寄託されたスピナシア・オレラセア植物由来である、請求項１〜４のいずれか１項に記載のスピナシア・オレラセア種子。
【請求項８】
実質的に果皮の無いスピナシア・オレラセア種子を生産する方法であって、以下の工程：
−  雌性スピナシア・オレラセア親植物を雄性スピナシア・オレラセア親植物と交配して該雌性スピナシア・オレラセア親植物による種子産生をもたらし、ここに、該雌性スピナシア・オレラセア親は、該産生される種子上の果皮形成を実質的に防止する劣性形質をそのゲノム中にホモ接合的に含む；および、
−  実質的に果皮の無いスピナシア・オレラセア種子を収穫する
ことを含む方法。
【請求項９】
該雌性スピナシア・オレラセア親植物を、該雌性スピナシア・オレラセア親植物と異なる品種である雄性スピナシア・オレラセア植物と交配させ、それにより雑種スピナシア・オレラセア種子、好ましくは不稔性雑種スピナシア・オレラセア種子、より好ましくは雄性不稔性雑種スピナシア・オレラセア種子を生産する、請求項８に記載の方法。
【請求項１０】
実質的に果皮形成を防止する該劣性形質が、２０１６年２月２５日に寄託番号ＮＣＩＭＢ  ４２５５５の下でＮＣＩＭＢに寄託されたスピナシア・オレラセア植物から得ることができる、得られる、または、から由来する、請求項８または９に記載の方法。
【請求項１１】
実質的に果皮の無い種子を生産することができるスピナシア・オレラセア植物であって、生産される種子上の果皮形成を実質的に防止する劣性形質をそのゲノム中にホモ接合的に含む、スピナシア・オレラセア植物。
【請求項１２】
該スピナシア・オレラセア植物が雄性不稔性の雌性植物である、請求項１１に記載のスピナシア・オレラセア植物。
【請求項１３】
果皮形成を実質的に防止する該劣性形質が、２０１６年２月２５日に寄託番号ＮＣＩＭＢ  ４２５５５の下でＮＣＩＭＢに寄託されたスピナシア・オレラセア植物から得ることができる、請求項１１または１２に記載のスピナシア・オレラセア植物。
【請求項１４】
果皮形成を実質的に防止する該劣性形質が、２０１６年２月２５日に寄託番号ＮＣＩＭＢ  ４２５５５の下でＮＣＩＭＢに寄託されたスピナシア・オレラセア植物から得られる、請求項１１〜１３のいずれか１項に記載のスピナシア・オレラセア植物。
【請求項１５】
果皮形成を実質的に防止する該劣性形質が、２０１６年２月２５日に寄託番号ＮＣＩＭＢ  ４２５５５の下でＮＣＩＭＢに寄託されたスピナシア・オレラセア植物から由来する、請求項１１〜１３のいずれか１項に記載のスピナシア・オレラセア植物。
【請求項１６】
実質的に産生される種子上の果皮形成を防止することができる劣性形質の使用であって、ここで、実質的に果皮形成を防止する該劣性形質は、実質的に果皮の無いスピナシア・オレラセア種子の生産のために、２０１６年２月２５日に受託番号ＮＣＩＭＢ  ４２５５５の下でＮＣＩＭＢに寄託されたスピナシア・オレラセア植物から得ることができる、得られる、または、から由来する、使用。
【発明の詳細な説明】
【技術分野】
【０００１】
本発明は、実質的に果皮の無いスピナシア・オレラセア（Ｓｐｉｎａｃｉａ  ｏｌｅｒａｃｅａ）またはホウレンソウの種子に関する。さらに、本発明は、実質的に果皮の無いスピナシア・オレラセアまたはホウレンソウ種子を生産する方法、および実質的に果皮の無い種子を産生することができるスピナシア・オレラセアまたはホウレンソウ植物に関する。果皮に囲まれたスピナシア・オレラセアまたはホウレンソウ種子と比較して、本発明の実質的に果皮の無いスピナシア・オレラセアまたはホウレンソウ種子は、１）輸送、保存および取扱い中の体積および重量の減少、２）休眠の減少、３）発芽率の増加、４）収量の増加、および５）病原体圧の減少の１つ以上を提供する。さらに、本発明は、実質的に果皮の無いスピナシア・オレラセアまたはホウレンソウ種子のために使用することができる寄託物の形態の遺伝子源を提供する。
【０００２】
ホウレンソウまたはスピナシア・オレラセアは、西および中央アジアが起源である食用植物である。それはヒユ科（Ａｍａｒａｎｔｈａｃｅａｅ）に属する。以前は、それは、アカザ科（Ｃｈｅｎｏｐｏｄｉａｃｅａｅ）のメンバーとして示されていた。しかし、この科は２００３年頃にヒユ科に合併され、現在はアカザ科亜科である。それは１４００年頃からヨーロッパで栽培されてきた。
【０００３】
ホウレンソウの雑種は、雌性開花（ｆｅｍａｌｅ  ｆｌｏｗｅｒｉｎｇ）を有する植物および受粉植物として雄性開花期を有する植物を利用して容易に生産することができる。雌性植物が雄花を発達させる前に、全ての雌花は雄花により受精される。
【０００４】
３つの基本的なタイプのホウレンソウが市販されている：
−  濃緑色の縮れてしわの多い葉を有するサボイタイプ（生鮮市場用）。
−  簡単にきれいにすることができる幅広く滑らかな葉を有する、平らな、または滑らかな葉のホウレンソウ。このタイプは、産業（缶詰または凍結ホウレンソウ、並びに加工食品およびベビーフード）のために使用される。
−  セミサボイは、サボイタイプに匹敵するテクスチャーを有するが、滑らかなタイプのホウレンソウのように容易にきれいにすることができる中間的なタイプのホウレンソウである。それは、生鮮市場と産業の両方のために栽培される。
−  熱に耐性のあるオリエンタルタイプは、ごくわずかの葉の膨れ（ｂｌｉｓｔｅｒｉｎｇ）；長い葉柄、いくつかの側面裂片（ｓｉｄｅ  ｌｏｂｅ）を有する尖った葉を有する（またはおよび植物は直立生長を有する）。
【０００５】
育種は、未成熟開花（ｐｒｅｍａｔｕｒｅ  ｆｌｏｗｅｒｉｎｇ）を伴うこと無く急速に生長するホウレンソウ植物をもたらした。より古い品種は、より狭い葉を有し、より強く、やや苦い味を有する傾向があり；より新しい品種は、より広い葉およびマイルドな味を有する。また、最近のタイプは、温暖な条件下で抽苔する傾向をほとんど有さず、したがって、時期尚早に開花して種子を産生することはない。
【０００６】
ホウレンソウは、栄養価に関しては、ほんの少量のカロリー（調理されたホウレンソウ１００ｇに対してわずか２３）を提供し、ビタミンＡ、Ｂ２（または葉酸）、Ｂ６、Ｃ、ＥおよびＫ；マグネシウム、マンガン、カルシウム、カリウム、鉄および食物繊維の豊富な供給源である。
【０００７】
スピナシア・オレラセアは、トリコームを有さない滑らかな光沢のある葉を有する一年生または二年生の植物である。最初は葉はロゼットとして生育し；茎は直立して生育し、ほとんど枝分かれしておらず；互生葉は、それぞれ、葉柄および単一葉身からなり；この葉身は三角形（または矢状）から楕円形であり、時には細長い裂片（lobe）を有し；全縁または歯状の縁および鋭い頂部を有する。時には、赤い中央脈が葉に存在する。一般に、植物は雌雄異株であり、雌雄同株の植物も生じる。
【０００８】
雄花は、不整末端スパイク様円錐花序を形成する団散花序に配置される。それらはそれぞれ４〜５個の楕円形の花被片および４〜５個の雄蕊からなる。雌花は葉腋に位置する団散花序にある。それらは、２つの結合した小苞葉により囲まれ、花被は無く、４〜５個の糸状柱頭を有する子房からなる。染色体の塩基数はｘ＝６であり、これはアカザ科ではまれであり、このファミリーでより一般的なものはｘ＝９またはそれ以上である。結実中に、小苞葉は大きくなって堅くなり、歯状の縁を有する場合があり、時にはいくつかの花が結合する。膜状の果皮は、垂直に配向した種子に付着する。暗い色の種皮は、刺状かまたは滑らかである。胚は輪状または環状であり、多量で粒状の外胚乳を取り囲んでいる。
【０００９】
果皮は、種子（胚、内胚乳および種皮を有する）を取り囲む物質の外層であり；それは、（外側から内側に）外果皮；中果皮および内果皮から構成される。スピナシア・オレラセアの種子に関して、果皮は、真の種子の周囲に乾燥した壁を形成している。ホウレンソウ種子の周りの果皮の存在は、当該分野において多くの実用上の問題を提起する。
【００１０】
第１に、果皮は比較的大量であるので、果皮の存在は、シードロットの体積の膨大な増加をもたらす。輸送中ならびに貯蔵中の両方において、これは深刻な問題である。経験則で、果皮を除去した種子の体積は、２．５倍、体重は１．７倍増加される。さらに、果皮の存在は、種子によるガス交換および種子の吸水および発芽を妨害し；発芽の間、胚はこの比較的強い組織層を突き破らなければならない。さらに、果皮は、ある特定の種において強い休眠効果を引き起こし；時には約５０％の休眠種子をもたらす。ホウレンソウ種子を取り囲む果皮の欠点は、以下のように要約することができる。
−  発芽は、機械的障害または休眠を引き起こすことにより、果皮により妨害または遅延される。
−  果皮の構造のせいで、病原体は果皮に存在することができ、種子処理により除去することが困難である。
−  収穫した果皮を有する種子の体積は、果皮の無い種子の体積の少なくとも２．５倍であり；重量は１．７倍増加する。これは、輸送や保管のための高いコストをもたらす。
【００１１】
従来、種子から果皮を物理的に除去する方法が開発されていた。Ｈｅｄｙｓａｒｕｍ  ｓｃｏｐａｒｉｕｍからの果皮の機械的な除去が、発芽率の４４％から９０％への改善をもたらした（Ｈｕ，Ｘ．Ｗ．，Ｗａｎｇ，Ｙ．Ｒ．およびＷｕ，Ｙ．Ｐ．“Ｅｆｆｅｃｔｓ  ｏｆ  ｔｈｅ  ｐｅｒｉｃａｒｐ  ｏｎ  ｉｍｂｉｂｉｔｉｏｎ，  ｓｅｅｄ  ｇｅｒｍｉｎａｔｉｏｎ，  ａｎｄ  ｓｅｅｄｌｉｎｇ  ｅｓｔａｂｌｉｓｈｍｅｎｔ  ｉｎ  ｓｅｅｄｓ  ｏｆ  Ｈｅｄｙｓａｒｕｍ  ｓｃｏｐａｒｉｕｍ”；Ｆｉｓｃｈ．  ｅｔ  Ｍｅｙ．Ｅｃｏｌ．Ｒｅｓ．２４：５５９−５６４（２００９））。特許出願第ＪＰ１８９７９７２号（１９９０；“Ｓｅｅｄ  ｃｏａｔ  ｅｑｕｉｐｐｅｄ  ｓｅｅｄ  ａｎｄ  ｉｔｓ  ｐｒｏｄｕｃｔｉｏｎ  ｍｅｔｈｏｄ”）において、機械的衝撃により種皮の一部を破壊する方法が記載されている。第１の種子を−３０℃〜−１９６℃の間の温度に凍結し、続いて温度≦−７℃で種子を機械的に処理して種皮を破壊する。先行技術の方法とは対照的に、機械的手段により種子から果皮を除去するために実施された研究は、大部分の損傷した種子をもたらすことが示された。これらの処理後に残っている種子は、得られたシードロットのより低い発芽率を有したが、これらの残っている種子の発芽は、より速く、収穫時の一植物あたりのより高い収量ももたらした。
【００１２】
該問題の別の物理的解決策は、レーザービームによりいくつかの種の硬い種子を処理して発芽を増強する方法を開示している特許出願第ＪＰ２００５２７００９２号（２００５；“Ｍｅｔｈｏｄ  ｆｏｒ  ｉｍｐｒｏｖｉｎｇ  ｇｅｒｍｉｎａｔｉｏｎ  ｏｆ  ｈａｒｄ  ｓｅｅｄ  ｂｙ  ｌａｓｅｒ  ｂｅａｍ  ｉｒｒａｄｉａｔｉｏｎ  ａｎｄ  ｇｅｒｍｉｎａｔｉｏｎ  ｉｍｐｒｏｖｅｄ  ｓｅｅｄ”）に見られる。この処理は、穿孔された種子をもたらし、これは、胚への酸素および水のより良好な供給および／または穿孔された果皮または外種皮を通過した胚のより容易な出現を可能にした。先行技術の方法は、種子の多くの操作および使用される機器の正確な調整を必要とし、種子の損傷による種子の損失をもたらす。
【発明の概要】
【００１３】
本発明の目的は、なかでも、少なくとも部分的に（完全ではないとしても）先行技術の上記の問題を解決することにある。
【００１４】
本発明のこの目的は、なかでも、添付の特許請求の範囲に概説されるような種子、方法および植物を提供することによって満たされる。
【００１５】
特に、第１の態様によれば、本発明のこの目的は、なかでも、スピナシア・オレラセア種子を提供することにより満たされ、ここで、実質的に全ての種子は果皮が無く、かつ該種子は、雌性スピナシア・オレラセア親植物を雄性スピナシア・オレラセア親植物と交配させて該雌性スピナシア・オレラセア親植物による種子産生をもたらすことにより得られることができる。該雌性スピナシア・オレラセア親は、産生される種子を取り囲む果皮形成を実質的に防止する劣性形質をそのゲノム中にホモ接合的に含む。
【００１６】
本発明によれば、子孫自体ではなく雌性親により果皮が形成されることを考慮して、実質的に、または完全に、果皮を伴わない種子は、該形質が機能的に（ホモ接合的に劣性の）存在する雌性親系統を用いて、いずれの遺伝的背景においても容易に得られることができる。これらの雌性親系統を用いた種子生産は、本質的に１００％果皮の無いＦ１種子をもたらす。これらの種子から生育したホウレンソウ植物は、この世代において該遺伝形質がヘテロ接合であるため、野生型の果皮で覆われた種子をつける可能性がある。
【００１７】
これらの果皮の無い種子についての種子技術研究は、それらが病原体により感染されにくく、容易に加工することができ、例えば、消毒のために温水により、容易に処理することができることを明らかにした。また、種子のペレット化、エンクラスティング（ｅｎｃｒｕｓｔｉｎｇ）またはコーティングの適用も非常に良好に行うことができる。要約すると、果皮の無い種子の利点は、以下である。
−  輸送および保管される種子の体積は６０％、重量は４０％減少し；また、これは、より持続可能な生産方法として考えることができる。
−  休眠の減少。発芽率がより高い。
−  発芽がより早く、より均一な作物をもたらす（例えば、添付の図２参照）。
−  所定の生育期間において、作物の収量がより高い（例えば、添付の図３参照）。
−  種子を病原体で汚染する危険性がより低い（例えば、添付の図４参照）。
−  種子媒介性病原体が（少なくとも部分的に）存在しないことは、より健康な種子をもたらし、殺真菌剤の適用の減少を可能にする。
−  種子のペレット化、エンクラスティングまたはコーティングは、より小さなサイズおよびより規則的な形状のために非常に良好に行うことができる。
−  これらの技術はまた、以下のような特別な種子処理の可能性を開く。
−  殺真菌剤、殺虫剤の添加（均一な分布、より少ない使用）。
−  利益（有益な微生物；生物学的コントロール、微量栄養素）の付加。
−  果皮の無い種子のプライミングは、従来のホウレンソウ種子のプライミングより容易に行われ、より均一な生産物をもたらす。
−  ある特定の色（例えば、有機種子を同定する）、マイクロドット、合成ＤＮＡまたは蛍光色素のような同定システムの付加が実行可能である。
【００１８】
本発明の好ましい態様によれば、本発明のスピナシア・オレラセア種子は、果皮の無い形質を保有する雌性スピナシア・オレラセア親植物を、該雌性スピナシア・オレラセア親植物とは異なる品種である雄性スピナシア・オレラセア植物と交配し、それにより容易に雑種種子を生産することにより得られる雑種種子である。
【００１９】
本発明の別の好ましい態様によれば、本発明のスピナシア・オレラセア種子は、不稔、好ましくは雄性不稔であるスピナシア・オレラセア植物に生育させることができる。
【００２０】
特に好ましい実施形態によれば、本発明の果皮の無い形質、または実質的に果皮形成を防止する劣性形質は、２０１６年２月２５日に寄託番号ＮＣＩＭＢ  ４２５５５の下でＮＣＩＭＢに寄託されたスピナシア・オレラセア植物（ＮＣＩＭＢ  Ｌｉｍｉｔｅｄ；Ｆｅｒｇｕｓｏｎ  Ｂｕｉｌｄｉｎｇ；Ｃｒａｉｂｓｔｏｎｅ  Ｅｓｔａｔｅ；Ｂｕｃｋｓｂｕｒｎ  Ａｂｅｒｄｅｅｎ；Ｓｃｏｔｌａｎｄ，ＡＢ２１  ９ＹＡ，Ｕｎｉｔｅｄ  Ｋｉｎｇｄｏｍ）から得られることができ、得られ、または由来する。本発明の形質は、該寄託物中に存在するヘテロ接合であり、故に寄託物自体は通常の種子（果皮に取り囲まれた種子）を生産することが留意される。よく知られているメンデル遺伝を用いて、本発明の形質はホモ接合劣性形態で容易に得られることができる。本発明の形質のホモ接合劣性形態を保有するホウレンソウ植物は、それらの果皮の無い種子により容易に同定することができる。
【００２１】
別の態様によれば、本発明は、果皮の無いスピナシア・オレラセア種子を生産するための方法に関し、該方法は、以下の工程：
−  雌性スピナシア・オレラセア親植物を雄性スピナシア・オレラセア親植物と交配させて該雌性スピナシア・オレラセア親植物による種子産生をもたらし、ここに、該雌性スピナシア・オレラセア親は、該産生される種子上の果皮形成を実質的に防止する劣性形質をそのゲノム中にホモ接合的に含む；および、
−  実質的に果皮の無いスピナシア・オレラセア種子を収穫し、単離し、または収集する
ことを含む。
【００２２】
本発明の方法の好ましい実施形態によれば、雌性スピナシア・オレラセア親植物は、該雌性スピナシア・オレラセア親植物と異なる品種である雄性スピナシア・オレラセア植物と交配させて、それにより雑種スピナシア・オレラセア種子、好ましくは不稔雑種スピナシア・オレラセア種子、より好ましくは雄性不稔雑種スピナシア・オレラセア種子を生産する。
【００２３】
本発明の方法の特に好ましい実施形態によれば、本発明の実質的に果皮形成を防止する形質は、２０１６年２月２５日に寄託番号ＮＣＩＭＢ  ４２５５５の下でＮＣＩＭＢに寄託されたスピナシア・オレラセア植物から得られることができるか、得られるか、または由来する。
【００２４】
さらに別の態様によれば、本発明は、実質的に果皮の無い種子を生産することができるスピナシア・オレラセア植物に関し、ここで、該スピナシア・オレラセア植物は、生産される種子上の果皮形成を実質的に防止する劣性形質をそのゲノム中にホモ接合的に含む。本発明の植物は、好ましくは雄性不稔雌性植物である。
【００２５】
特に好ましい実施形態によれば、本発明のスピナシア・オレラセア植物は、２０１６年２月２５日に寄託番号ＮＣＩＭＢ  ４２５５５の下でＮＣＩＭＢに寄託されたスピナシア・オレラセア植物から得られることができるか、得られるか、または由来する果皮形成を実質的に防止する劣性形質を含む。
【００２６】
さらに別の態様によれば、本発明は、生産される種子上の果皮形成を実質的に防止することができる劣性形質の使用に関し、ここで、該果皮形成を実質的に防止する形質は、実質的に果皮の無いスピナシア・オレラセア種子の生産のために、２０１６年２月２５日に寄託番号ＮＣＩＭＢ  ４２５５５の下でＮＣＩＭＢに寄託されたスピナシア・オレラセア植物から得られることができるか、得られるか、または由来する。
【００２７】
本発明は、以下の実施例においてさらに詳細に説明されるだろう。実施例において、図面を参照する。
【図面の簡単な説明】
【００２８】
【図１】図１は、本発明の果皮の無い種子（右）および果皮を有する種子の比較写真を示す。
【図２】図２は、従来の果皮を含有する種子および本発明の果皮の無い種子の播種後の実生の出現時期を示す。
【図３】図３は、従来の果皮を含有する種子および本発明の果皮の無い種子の播種後の種々の時間における一植物あたりの重量を示す。
【図４】図４は、従来の果皮を含有する種子および本発明の果皮の無い種子を用いた病原体の発生を示す。
【発明を実施するための形態】
【００２９】
実施例
本発明の形質をホモ接合的に保有する雌性スピナシア・オレラセア親系統を、本発明の形質を保有していない異なる遺伝的背景を有するいくつかの雄性スピナシア・オレラセア親系統と交配させた。続いて、実質的に１００％の果皮の無い種子を生産し、収集した。該収集された種子を標準生存率、収量及び病気試験に供した。その結果を図１〜４に要約する。
【００３０】
図１〜４に明らかなように、伝統的なホウレンソウの種子と比較して、重量／体積（図１）；生存率（図２）；収量（図３）および耐病性（図４）が本発明の種子において有意に改善された。
【００３１】
本発明の種子の物理的性質（図１）に関して、従来の種子および果皮の無い種子の両方の１０００個の種子の重量（ＴＧＷ、千粒重量）を測定した。果皮の無い種子の平均ＴＧＷは６．１〜８．３グラムであり；従来の種子の平均ＴＧＷは１１．１〜１２．５グラムである。測定された別のパラメータは、種子の平均直径であり；果皮の無い種子および関連する従来の種子の２つの異なるロットを用いて直径を測定した。種子の１つのフラクションにおいて、従来の種子は３ｍｍの直径を有し、果皮の無い種子は２．６ｍｍの直径を有し；第２のシードロットにおいて、平均直径はそれぞれ４．４ｍｍおよび３．０ｍｍであった。これは、果皮の無い種子の直径が、従来の種子の直径より２５〜３０％小さいことを意味する。
【００３２】
果皮の無いホウレンソウの代表的なサンプル１５２０１２４ＮＺの寄託を、ＮＣＩＭＢ  Ｌｉｍｉｔｅｄ；Ｆｅｒｇｕｓｏｎ  Ｂｕｉｌｄｉｎｇ；  Ｃｒａｉｂｓｔｏｎｅ  Ｅｓｔａｔｅ；Ｂｕｃｋｓｂｕｒｎ  Ａｂｅｒｄｅｅｎ；Ｓｃｏｔｌａｎｄ，ＡＢ２１  ９ＹＡ，Ｕｎｉｔｅｄ  Ｋｉｎｇｄｏｍで２０１６年２月２５日に行い、ＮＣＩＭＢ  ４２５５５として登録した。
【００３３】
定義：
コーティング：
比較的薄いポリマーの層を種子に供給する。このポリマーに殺真菌剤または殺虫剤を添加して、土壌媒介性病原体および昆虫の被害から該種子を保護することができる。加えて、色素を添加して、種子の正しい条播きをチェックする機会を与えることができる。あるいは、他の有益な化合物を、若い実生の生育を促進する微量栄養素または有用な微生物として添加することもできる。
【００３４】
エンクラスティング：
エンクラスティングにより、種子が上述のような余分な物質を含むかまたは含まないポリマーで覆われるだけでなく、種子が滑らかな表面を提供される。これは、条播きをより容易にし、追加された重量は、このように処理された種子のより正確で直接的な条播きを可能にする。
【００３５】
ペレット化：
ペレット化により、種子はより多くの物質、例えばポリマー結合クレーで覆われ、規則的に成形された丸いペレットを製造する。このペレットは、最終的に上記の保護物質を有する以外に、水の摂取後に溶解または分離するように構築されることができる。
【００３６】
プライミング：
プライミングまたは前発芽は、種子が該種子内の胚の生育の開始を有するのに十分な水分を与えられる処理である。これは、実生のより早い出現、より高い出芽率、およびより良好な生育をもたらす。このヘッドスタートは、土壌をより早期に下りていく良好な根系およびより速い生育をもたらすと考えられる。
【００３７】
休眠：
休眠は、一定期間、種子の発芽を防止し；通常、休眠は好ましくない条件の下での発芽を防止するが、この遅延は最終的に数ヶ月間または数年間にもなることができる。
【００３８】
果皮の無い、または実質的に果皮の無い：
本願の文脈における果皮の無いとは、実際に果皮が真の種子を取り囲んでいないことを意味するが、果皮のわずかな残存物が最終的に存在していてもよい。
【図１】
2019517793.tif 000003
【図２】
2019517793.tif 000004
【図３】
2019517793.tif 000005
【図４】
2019517793.tif 000006
【国際調査報告】
2019517793.tif 000007
2019517793.tif 000008
2019517793.tif 000009